(57)【要約】【課題】出金パターンの選択と金種枚数指定を１回の取引内において指定可能とし、出金取引の利便性を向上させることが可能な現金処理装置を提供する。【解決手段】金種毎に現金を収納する収納部と、前記現金を出金する出金口と、取引に関する操作入力画面を表示する表示部と、前記表示部への表示制御および前記現金の搬送を制御する制御部と、を備え、前記制御部は、前記収納部から前記現金を前記出金口に搬送して出金する出金取引に関し、出金金種とその金種毎の枚数を任意に指定できる金種枚数指定と、出金金種とその金種毎の枚数が予め設定登録された出金パターンの１以上の選択とを、１回の取引内において指定可能とする、現金処理装置。【選択図】図２
2020042703.tif 000002
【特許請求の範囲】
【請求項１】
金種毎に現金を収納する収納部と、
前記現金を出金する出金口と、
取引に関する操作入力画面を表示する表示部と、
前記表示部への表示制御および前記現金の搬送を制御する制御部と、
を備え、
前記制御部は、
前記収納部から前記現金を前記出金口に搬送して出金する出金取引に関し、出金金種とその金種毎の枚数を任意に指定できる金種枚数指定と、出金金種とその金種毎の枚数が予め設定登録された出金パターンの１以上の選択とを、１回の取引内において指定可能とする、現金処理装置。
【請求項２】
前記制御部は、
金種枚数指定出金取引が選択された際、入力された出金額以内において前記出金パターンの１以上の選択を受け付け、前記出金額と前記選択された出金パターンの合計額との差額について金種枚数指定の入力を受け付け、
前記受け付けた１以上の出金パターンと、前記金種枚数指定に従って前記収納部から現金を前記出金口へ搬送して出金する制御を行う、請求項１に記載の現金処理装置。
【請求項３】
前記制御部は、
金種枚数指定出金取引が選択された際、出金額の入力を誘導する出金額入力画面を前記表示部に表示し、
前記出金額が入力された場合、出金パターン選択画面を表示し、
出金パターンの選択が終了した場合、前記出金額と、選択された前記出金パターンの合計額との比較に基づいて算出される金種未割当て分について金種と枚数を入力する金種枚数入力画面を表示するよう制御する、請求項２に記載の現金処理装置。
【請求項４】
前記制御部は、
パターン出金取引が選択された際、前記出金パターンの１以上の選択を受け付け、追加出金額が入力された場合は当該追加出金額について金種枚数指定の入力を受け付け、
前記受け付けた１以上の出金パターンと、前記金種枚数指定に従って前記収納部から現金を前記出金口へ搬送して出金する制御を行う、請求項１に記載の現金処理装置。
【請求項５】
前記制御部は、
パターン出金取引が選択された際、出金パターン選択画面を表示し、
出金パターンの選択が終了した場合、追加出金額を入力する追加出金額入力画面を表示し、
追加出金額が入力された場合、当該追加出金額分について金種と枚数を入力する金種枚数入力画面を表示するよう制御する、請求項４に記載の現金処理装置。
【請求項６】
前記制御部は、前記出金パターンの選択または前記金種枚数指定の入力の少なくともいずれを経ても金種の未割当てが存在する場合、所定規則に従った自動金種割当てを行う、請求項２〜５のいずれか１項に記載の現金処理装置。
【請求項７】
前記制御部は、
１回の出金取引において指定された金種枚数指定分、１以上の各出金パターン分、および、自動金種割り当て分を、それぞれ出金単位とみなし、出金単位毎に、出金処理と受取完了を繰り返すように制御する、請求項１〜６のいずれか１項に記載の現金処理装置。
【発明の詳細な説明】
【技術分野】
【０００１】
本開示は、現金処理装置に関する。
【背景技術】
【０００２】
小売店やスーパーマーケットなどの流通施設や商業施設、また、銀行等の金融機関において、店内の現金を管理（例えば流通施設や商業施設の場合は、売上金を入金し、釣銭準備金を出金する）現金処理装置が設置されている。
【０００３】
下記特許文献１には、出金を希望する総金額の任意の金額毎に、任意の出金回数に区分して出金させることが出来る出金装置が開示されている。
【先行技術文献】
【特許文献】
【０００４】
【特許文献１】特開２００３−１５０７９３号公報
【発明の概要】
【発明が解決しようとする課題】
【０００５】
しかしながら、従来の、金種および金種毎の枚数を予め設定登録された複数の出金パターンから任意の出金パターンを指定して出金させる「パターン出金」では、希望する出金額に足りない額を、当該パターン出金の取引において追加指定することは困難であった。
【０００６】
また、出金取引には、「パターン出金」の他、操作者が総出金額内で出金する金種および枚数を任意に指定する「金種枚数指定出金」がある。
【０００７】
そこで、本発明は、上記問題に鑑みてなされたものであり、本発明の目的とするところは、出金パターンの選択と金種枚数指定を１回の取引内において指定可能とし、出金取引の利便性を向上させることが可能な現金処理装置を提供することにある。
【課題を解決するための手段】
【０００８】
上記課題を解決するために、本発明のある観点によれば、金種毎に現金を収納する収納部と、前記現金を出金する出金口と、取引に関する操作入力画面を表示する表示部と、前記表示部への表示制御および前記現金の搬送を制御する制御部と、を備え、前記制御部は、前記収納部から前記現金を前記出金口に搬送して出金する出金取引に関し、出金金種とその金種毎の枚数を任意に指定できる金種枚数指定と、出金金種とその金種毎の枚数が予め設定登録された出金パターンの１以上の選択とを、１回の取引内において指定可能とする、現金処理装置が提供される。
【０００９】
前記制御部は、金種枚数指定出金取引が選択された際、入力された出金額以内において前記出金パターンの１以上の選択を受け付け、前記出金額と前記選択された出金パターンの合計額との差額について金種枚数指定の入力を受け付け、前記受け付けた１以上の出金パターンと、前記金種枚数指定に従って前記収納部から現金を前記出金口へ搬送して出金する制御を行ってもよい。
【００１０】
前記制御部は、金種枚数指定出金取引が選択された際、出金額の入力を誘導する出金額入力画面を前記表示部に表示し、前記出金額が入力された場合、出金パターン選択画面を表示し、出金パターンの選択が終了した場合、前記出金額と、選択された前記出金パターンの合計額との比較に基づいて算出される金種未割当て分について金種と枚数を入力する金種枚数入力画面を表示するよう制御してもよい。
【００１１】
前記制御部は、パターン出金取引が選択された際、前記出金パターンの１以上の選択を受け付け、追加出金額が入力された場合は当該追加出金額について金種枚数指定の入力を受け付け、前記受け付けた１以上の出金パターンと、前記金種枚数指定に従って前記収納部から現金を前記出金口へ搬送して出金する制御を行ってもよい。
【００１２】
前記制御部は、パターン出金取引が選択された際、出金パターン選択画面を表示し、出金パターンの選択が終了した場合、追加出金額を入力する追加出金額入力画面を表示し、追加出金額が入力された場合、当該追加出金額分について金種と枚数を入力する金種枚数入力画面を表示するよう制御してもよい。
【００１３】
前記制御部は、前記出金パターンの選択または前記金種枚数指定の入力の少なくともいずれを経ても金種の未割当てが存在する場合、所定規則に従った自動金種割当てを行ってもよい。
【００１４】
前記制御部は、１回の出金取引において指定された金種枚数指定分、１以上の各出金パターン分、および、自動金種割り当て分を、それぞれ出金単位とみなし、出金単位毎に、出金処理と受取完了を繰り返すように制御してもよい。
【発明の効果】
【００１５】
以上説明した本発明によれば、出金パターンの選択と金種枚数指定を１回の取引内において指定可能とし、出金取引の利便性を向上させることが可能となる。
【図面の簡単な説明】
【００１６】
【図１】本発明の実施形態に係る現金処理装置の概略構成について説明する。
【図２】本実施形態の第１の実施例による金種枚数指定出金の動作処理の流れの一例を示すフローチャートである。
【図３】本実施形態の第２の実施例によるパターン出金の動作処理の流れの一例を示すフローチャートである。
【図４】本実施形態の第３の実施例による複数受取の動作処理の流れの一例を示すフローチャートである。
【発明を実施するための形態】
【００１７】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１８】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、複数の構成要素の各々に同一符号のみを付する。
【００１９】
＜０．導入＞
本発明の実施形態は、小売店やスーパーマーケットなどの流通施設および商業施設に設置される現金処理装置に適用される。本実施形態による現金処理装置は、例えば、レジで用いられる釣銭準備金として紙幣および硬貨を出金する釣銭出金、およびレジから回収された紙幣および硬貨を入金する売上入金処理などの処理を実行可能である。以下、このような本発明の実施形態による現金処理装置の構成および動作について順次詳細に説明する。
【００２０】
＜１．概要＞
（出金取引について）
本発明の実施形態による現金処理装置は、出金取引機能として、「金種枚数指定出金」と、「パターン出金」とを有し、収納庫にある紙幣および硬貨を出金口に出金する動作を行う。
【００２１】
「金種枚数指定出金」は、操作者が、出金金種およびその金種毎の枚数を任意に指定することが可能な出金取引である。具体的には、現金処理装置は、メインメニューから「金種枚数指定出金」が選択された場合、出金額の入力を誘導し、出金額が入力されると、金種枚数入力画面を表示し、金種枚数入力（金種毎の枚数の入力）を誘導する。金種枚数が入力されると、現金処理装置は、未割当て分（出金額から金種枚数入力合計額を引いた額）について自動金種割当（例えば、高額金種優先での割当）を実施し、出金動作を開始する。そして、現金処理装置は、入力された金種枚数に従って、収納庫にある紙幣および硬貨を出金口へ搬送後、出金口からの受取誘導を行う。
【００２２】
「パターン出金」は、出金の金種と金種毎の枚数が予め設定登録された１以上の出金パターンから任意の出金パターンを指定して出金させることが可能な出金取引である。具体的には、現金処理装置は、メインメニューから「パターン出金」が選択された場合、予め装置に設定登録してある出金パターン（１以上の金種枚数の情報を含む）の選択を誘導する。出金パターンが選択されると、現金処理装置は、出金動作を開始する。そして、現金処理装置は、選択された出金パターンに従って、収納庫にある紙幣および硬貨を出金口へ搬送後、出金口からの受取誘導を行う。
【００２３】
（本発明の課題）
しかしながら、上記の現金出金動作では、予め設定した出金パターンと、追加の金種を簡単に出金する方法がなかった。
【００２４】
本発明の実施形態は、上記事情を一着眼点にして創作された発明であり、本発明の実施形態による現金処理装置は、出金パターンの選択と金種枚数指定を１回の取引内において指定可能とし、出金取引の利便性を向上させることを可能とする。
【００２５】
＜２．現金処理装置の構成例＞
図１を参照して、本発明の実施形態に係る現金処理装置１００の概略構成について説明する。図１に示したように、本実施形態による現金処理装置１００は、紙幣投入口１０１、紙幣一時保留部１０３、紙幣鑑別部１０５、紙幣収納部１１０、紙幣回収庫１１３およびリジェクト部１１５を有する紙幣部と、硬貨投入口１１７、硬貨鑑別部１１９、硬貨一時保留部１２１、硬貨返却部１２３、出金ホッパ１２５、および硬貨出金箱１２９を有する硬貨部と、施封部１３１と、操作表示部１３３と、カードリーダ部１３５と、レシートプリンタ部１３７と、制御部１５０と、記憶部１６０と、を備える。紙幣部には紙幣扉が設けられており、紙幣扉が開いている場合に紙幣部の内部への操作が可能となる。同様に、硬貨部には硬貨扉が設けられており、硬貨扉が開いている場合に硬貨部の内部への操作が可能となる。
【００２６】
紙幣投入口１０１は、現金処理装置１００に入金される紙幣が投入される投入口である。また、紙幣投入口１０１は、紙幣の出金口でもあり、出金される紙幣、および入金時に紙幣鑑別部１０５により正常ではないとしてリジェクトされた紙幣が紙幣投入口１０１から出金される。紙幣投入口１０１は、シャッター機構を有し、現金投入時または受取時にシャッターは開き、投入時または受取時以外シャッターは閉じている。
【００２７】
紙幣一時保留部１０３には、入金計数時に、一時的に紙幣が集積される。また、紙幣鑑別部１０５は、投入された紙幣が正常な紙幣であるか否かを各種センサによって鑑別する。
【００２８】
紙幣収納部１１０は、紙幣一時保留部１０３から搬送された紙幣を収納する。紙幣収納部１１０は、万券還流庫（リサイクルカセット）１０７、五千券還流庫１０９、千券還流庫１１１を有する。万券還流庫１０７、五千券還流庫１０９、千券還流庫１１１は、それぞれ万券、五千券、および千券の紙幣を収納する。具体的には、万券還流庫１０７、五千券還流庫１０９、千券還流庫１１１（各紙幣還流庫）には、バラ状態の各種紙幣が出金準備金（例えば、釣銭準備金）として収納される。また、各紙幣還流庫には、売上入金され、紙幣鑑別部１０５で正常と鑑別された各種紙幣が収納される。さらに、出金時には、各紙幣還流庫から各種紙幣が出金される。
【００２９】
紙幣回収庫１１３は、回収（退避）のための回収庫である。具体的には、紙幣回収庫１１３には、精算集計時に、各紙幣還流庫から移動された紙幣が売上金として収納される。
【００３０】
リジェクト部１１５には、紙幣鑑別部１０５によって正常な紙幣ではないと鑑別された紙幣、すなわちリジェクトされた紙幣が集積される。具体的には、リジェクト部１１５には、売上入金処理時に紙幣一時保留部１０３から各紙幣還流庫に紙幣を搬送する過程で紙幣鑑別部１０５によってリジェクトされた紙幣、各紙幣還流庫から釣銭出金を行う過程で紙幣鑑別部１０５によってリジェクトされた紙幣、精算集計時に各紙幣還流庫から紙幣回収庫１１３に紙幣を搬送する過程で紙幣鑑別部１０５によってリジェクトされた紙幣などが集積される。
【００３１】
硬貨投入口１１７は、硬貨が投入される開口である。また、硬貨鑑別部１１９は、投入された硬貨が正常な硬貨であるか否かを各種センサによって鑑別する。さらに、硬貨一時保留部１２１には、入金計数時および精算集計時に、一時的に硬貨が集積される。
【００３２】
硬貨返却部１２３は、硬貨の返却口であり、計数が行われた硬貨、売上入金処理の取り消しがなされた硬貨が硬貨返却部１２３から返却される。
【００３３】
出金ホッパ１２５は、各種硬貨が、出金準備金として収納される。また、出金ホッパ１２５には、売上入金され、硬貨鑑別部１１９で正常と鑑別された各種硬貨が収納され、釣銭出金時には出金ホッパ１２５から各種硬貨が出金される。
【００３４】
硬貨出金箱１２９は、釣銭出金時に硬貨を出金するための硬貨出金口である。
【００３５】
施封部１３１は、集積された紙幣を施封する機能を有する。施封部１３１では、集積された、施封する所定枚数（例えば１００枚）の紙幣をテープで結束（施封）し、結束した小束紙幣を施封部１３１の小束出金口（不図示）から排出する。
【００３６】
操作表示部１３３は、各種画面を表示する表示部としての機能を有する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作表示部１３３は、操作者による操作を検出する操作部としての機能も有する。操作部としての機能は、例えばタッチパネルにより実現される。なお、表示部および操作部の機能は分離して構成されてもよい。
【００３７】
カードリーダ部１３５は、レジカードやＩＤカード等に書き込まれた情報を読み取る。レジカードやＩＤカード等に書き込まれる情報として、例えば、カードを利用する操作者を識別するための情報、および許可されている取引の種類を示す情報が挙げられる。このカードリーダ部１３５から読取られる情報が事前に登録されている情報と一致する場合、現金処理装置１００の利用が制御部１５０により許可される。なお、現金処理装置１００は、カードリーダ部１３５に加えて、あるいはカードリーダ部１３５に代えて、指紋認識を行う指紋認識部、または暗証番号の入力を受け付ける暗証番号入力部を有してもよい。
【００３８】
レシートプリンタ部１３７は、現金処理装置１００によって行われた処理の内容を示す情報が印字されたレシートを排出する。例えば、売上回収が行われた場合、レシートプリンタ部１３７は、売上回収の内容を示す回収情報が印字されたレシートを排出する。
【００３９】
制御部１５０は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）、データ等を記憶するＨＤＤ（Ｈａｒｄ  Ｄｉｓｋ  Ｄｒｉｖｅ）装置などのデータ格納用記憶装置等で構成される。
【００４０】
制御部１５０は、現金処理装置１００の動作全般を制御する。例えば、制御部１５０は、紙幣収納部１１０、紙幣回収庫１１３、および出金ホッパ１２５などに収納されている現金の枚数を記憶部１６０に記憶させる管理部としての機能を包含する。また、制御部１５０は、レジカードやＩＤカードによる認証が終了すると、後述する出金取引等の処理を制御する。
【００４１】
＜３．出金取引動作＞
本実施形態による現金処理装置１００の動作において、制御部１５０は、出金取引処理の際、出金パターンの選択と金種枚数指定を１回の取引内において指定可能とし、出金取引の利便性を向上させる。
【００４２】
本実施形態による、出金パターンの選択と金種枚数指定を１回の取引内において指定可能とする出金取引は、金種枚数指定出金またはパターン出金のいずれにおいても実施され得る。以下、図に示すフローチャートを用いて具体的に説明する。
【００４３】
（３−１．第１の実施例；金種枚数指定出金）
図２は、本実施形態による金種枚数指定出金の動作処理の流れの一例を示すフローチャートである。メニュー画面から「金種枚数指定出金」が選択された際、本動作処理が開始される。
【００４４】
図２に示すように、現金処理装置１００の制御部１５０は、操作表示部１３３に、出金額入力画面を表示し、出金額の入力を誘導する（ステップＳ１０３）。ここでは、例えば１００，０００円と入力されたとする。
【００４５】
次いで、制御部１５０は、出金パターン選択画面を表示し、出金パターンの選択を誘導する（ステップＳ１０６）。出金パターンとは、出金する金種と金種毎の枚数について、記憶部１６０に予め設定登録されたものである。なお、設定登録される金種は、１または複数であってもよい。また、設定登録される金種は、紙幣、硬貨のいずれが含まれていてもよい。
【００４６】
出金パターンが１つ選択され、さらに選択が継続される場合（ステップＳ１０９／Ｎｏ）、制御部１５０は、入力された出金額と、現在選択している出金パターンの合計額とを比較し、出金パターンの合計額が出金額を越えていない場合（ステップＳ１１２／Ｎｏ）、出金パターン選択画面を再度表示する（ステップＳ１０６）。このように、複数の出金パターンを選択することが可能となる。
【００４７】
ここでは、例えば、下記の２つの出金パターンが選択されたとする。
・出金パターン１；５０，０００円（万券…３枚、五千券…３枚、千券…５枚）
・出金パターン２；３０，０００円（万券…２枚、五千券…１枚、千券…５枚）
【００４８】
次に、選択した出金パターンの合計額が出金額と同額になった場合（ステップＳ１１２／Ｙｅｓ）、または、出金パターンの選択が終了した場合（ステップＳ１０９／Ｙｅｓ）、制御部１５０は、金種の未割当て分があるか否かを確認する（ステップＳ１１５）。選択した出金パターンの合計額が出金額と同額になった場合は、金種の未割当て分は存在しない。一方、出金パターンの合計額が出金額より少ない場合、その差額が金種未割当てとなる。なお、出金パターンを１つも選択しないことも可能であり、この場合は入力された出金額全てが金種未割当てとなる。
【００４９】
ここでは、例えば出金額として「１００，０００円」が入力され、出金パターンの選択において例えば上記出金パターン１、２が選択された場合、上記出金パターン１、２の合計額は８０，０００円であり、出金額との差額２０，０００円が、金種未割当て分となる。
【００５０】
次いで、金種未割当てがある場合（ステップＳ１１５／Ｙｅｓ）、制御部１５０は、操作表示部１３３に、金種枚数入力画面を表示する（ステップＳ１１８）。操作者は、金種未割当て分について、任意に金種と枚数を指定することができる。金種未割当てがない場合（ステップＳ１１５／Ｎｏ）は、ステップＳ１２４に移る。
【００５１】
続いて、金種が指定されなかった未割当て分が存在する場合、制御部１５０は、所定規則に従った自動金種割当て（例えば高額金種優先での割当て）により金種割当てを行う（ステップＳ１２１）。
【００５２】
例えば金種未割当ての２０，０００円のうち、操作者により「千券１０枚」が指定された場合、残りの１０，０００円分については、自動割当てにより、高額金種である万券１枚が割当てられる。
【００５３】
次に、制御部１５０は、指定された金種枚数を、収納庫（紙幣収納部１１０、出金ホッパ１２５）から出金口（紙幣投入口１０１、硬貨出金箱１２９）へ出金し（ステップＳ１２４）、操作者による受け取りが完了すると（ステップＳ１２７）、レシートプリンタ部１３７により出金取引内容をレシートに印字して排出する（ステップＳ１３０）。
【００５４】
ここでは、例えば下記の指定された金種枚数が出金パターンや金種枚数指定分等の指定方法に関係なくすべてまとめて収納庫から出金口へ出金される。下記の例では、操作者は、出金口から一回で全ての紙幣を受取る。
・パターン出金分…出金パターン１；万券３枚、五千券３枚、千券５枚
出金パターン２；万券２枚、五千券１枚、千券５枚
・金種枚数指定分…千券１０枚
・自動割当て分…万券１枚
（出金合計金額１００，０００円）
【００５５】
なお、指定金種には、紙幣のみならず、硬貨が含まれていてもよいし、また、硬貨のみであってもよい。また、施封部１３１により所定出金枚数が施封して出金されてもよい。
【００５６】
（作用効果）
以上により、第１の実施例によれば、金種枚数指定出金でも出金パターンを選択することが可能となり、１回の取引内で出金パターンの指定と金種枚数指定を同時に行うことができ、出金パターンと追加の出金を容易にすることができる。
【００５７】
また、入力した出金額内であれば、複数の出金パターンを指定することも可能であり、複数出金パターンを１回の取引で出金することができる。
【００５８】
（３−２．第２の実施例；パターン出金）
図３は、本実施形態によるパターン出金の動作処理の流れの一例を示すフローチャートである。メニュー画面から「パターン出金」が選択された際、本動作処理が開始される。
【００５９】
図３に示すように、現金処理装置１００の制御部１５０は、操作表示部１３３に、出金パターン選択画面を表示し、出金パターンの選択を誘導する（ステップＳ２０３）。
【００６０】
出金パターンが１つ選択され、さらに選択が継続される場合（ステップＳ２０６／Ｎｏ）、制御部１５０は、出金パターン選択画面を再度表示する（ステップＳ２０３）。このように、複数の出金パターンを選択することが可能となる。
【００６１】
ここでは、例えば、下記の２つの出金パターンが選択されたとする。
・出金パターン１；５０，０００円（万券…３枚、五千券…３枚、千券…５枚）
・出金パターン２；３０，０００円（万券…２枚、五千券…１枚、千券…５枚）
【００６２】
次に、出金パターンの選択が終了した場合（ステップＳ２０６／Ｙｅｓ）、制御部１５０は、操作表示部１３３に、追加出金額入力画面を表示する（ステップＳ２０９）。なお、制御部１５０は、出金パターンの選択が終了した際、または、追加出金額入力画面において、選択した出金パターンの合計額を表示するようにしてもよい。
【００６３】
追加出金額が入力された場合（ステップＳ２１２／Ｙｅｓ）、制御部１５０は、金種枚数入力画面を表示する（ステップＳ２１５）。操作者は、追加出金額について、任意に金種と枚数を指定することができる。追加出金額が入力されない場合（ステップＳ２１２／Ｎｏ）は、ステップＳ２２１に移る。
【００６４】
続いて、金種が指定されなかった未割当て分が存在する場合、制御部１５０は、所定規則に従った自動金種割当て（例えば高額金種優先での割当て）により金種割当てを行う（ステップＳ２１８）。
【００６５】
ここでは、例えば追加出金額として「２０，０００円」が入力され、操作者により「千券１０枚」が指定された場合、残りの１０，０００円分について、自動割当てにより、高額金種である万券１枚が割当てられたとする。
【００６６】
次に、制御部１５０は、指定された金種枚数を、収納庫（紙幣収納部１１０、出金ホッパ１２５）から出金口（紙幣投入口１０１、硬貨出金箱１２９）へ出金し（ステップＳ２２１）、操作者による受け取りが完了すると（ステップＳ２２４）、レシートプリンタ部１３７により出金取引内容をレシートに印字して排出する（ステップＳ２２７）。
【００６７】
ここでは、例えば下記の指定された金種枚数が出金パターンや金種枚数指定分等の指定方法に関係なくすべてまとめて収納庫から出金口へ出金される。下記の例では、操作者は、出金口から一回で全ての紙幣を受取る。
・パターン出金分…出金パターン１；万券３枚、五千券３枚、千券５枚
出金パターン２；万券２枚、五千券１枚、千券５枚
・金種枚数指定分…千券１０枚
・自動割当て分…万券１枚
（出金合計金額１００，０００円）
【００６８】
また、指定金種には、紙幣のみならず、硬貨が含まれていてもよいし、また、硬貨のみであってもよい。また、施封部１３１により所定出金枚数が施封して出金されてもよい。
【００６９】
（作用効果）
以上により、第２の実施例によれば、出金パターン選択後に、追加分の出金額を入力することにより、１回の取引内で出金パターンの指定と金種枚数指定を同時に行うことができ、出金パターンと追加の出金を容易にすることができる。
【００７０】
また、複数の出金パターンを指定することも可能であり、複数出金パターンを１回の取引で出金することができる。
【００７１】
（３−３．第３の実施例；複数受取）
第３の実施例として、金種枚数指定出金またはパターン出金の取引において、複数の出金取引分を１回の出金取引でまとめて出金するように指定した場合の受取方法について、図４を参照して説明する。本実施例によれば、１回の出金取引に含まれる、出金パターン選択分、金種枚数指定分、および自動金種割当て分をそれぞれ出金単位とみなし、出金単位毎に、収納庫から出金口への出金と受取を繰り返すことで、複数受取を可能とする。
【００７２】
図４は、第３の実施例による複数受取の動作処理の流れの一例を示すフローチャートである。
【００７３】
図４に示すように、まず、操作表示部１３３に表示したメニュー画面から、操作者により、金種枚数指定出金またはパターン出金の選択が行われる（ステップＳ３０３）。
【００７４】
金種枚数指定出金が選択された場合、上述した図２に示すステップＳ１０３〜Ｓ１２１に示す処理が行われる。すなわち、ここでは簡略して記載するが、出金額の指定（ステップＳ３０６）、出金パターンの選択（ステップＳ３０９）、金種枚数の入力（ステップＳ３１２）、および自動金種割当て（ステップＳ３１５）が行われる。
【００７５】
一方、パターン出金が選択された場合、上述した図３に示すステップＳ２０３〜Ｓ２１８に示す処理が行われる。すなわち、ここでは簡略して記載するが、出金パターンの選択（ステップＳ３１８）、追加出金額の指定（ステップＳ３２１）、金種枚数の入力（ステップＳ３２４）、および自動金種割当て（ステップＳ３２７）が行われる。
【００７６】
次に、制御部１５０は、収納庫から出金口への出金（ステップＳ３３０）、および、出金口からの受取（ステップＳ３３３）を、出金単位毎に繰り返す（ステップＳ３３６）。金種枚数指定出金またはパターン出金の取引では、１回の出金取引において、１以上の出金パターン選択、金種枚数指定、および自動金種割当てを行うことができる。これを利用し、複数の出金取引分を１回の出金取引でまとめて出金するように指定した場合、出金パターン選択分、金種枚数指定分、および自動金種割当て分を、それぞれ出金単位とみなし、出金単位毎に、収納庫から出金口への出金と受取を繰り返すことで、複数受取を可能とする。
【００７７】
例えば、下記の出金を各々出金単位とみなし、収納庫からの出金と受取を、出金単位毎に繰り返すことで、出金パターン１、出金パターン２、金種枚数指定分、および、自動割当て分を、それぞれ分割して受け取ることが可能となる。下記の例では、操作者は、出金口から４回に分けて紙幣を受取る。
・パターン出金分…出金パターン１；万券３枚、五千券３枚、千券５枚
出金パターン２；万券２枚、五千券１枚、千券５枚
・金種枚数指定分…千券１０枚
・自動割当て分…万券１枚
（出金合計金額１００，０００円）
【００７８】
出金口からの受取完了は、出金口に設けられた各種センサにより判断され得る。また、出金口が複数ある場合、２以上の出金口を利用して分割受取が可能となる（例えば、受取が完了した方の出金口に、次の出金単位での出金を行う）。
【００７９】
そして、全ての出金単位の出金が完了した場合（ステップＳ３３６／Ｙｅｓ）、レシートプリンタ部１３７により出金取引内容をレシートに印字して排出する（ステップＳ３３９）。
【００８０】
（作用効果）
以上により、第３の実施例によれば、出金単位で受取を分割することができるため、受取後に人手によって分割を行うことが不要となり、分割ミスや分割時間を削減することができる。
【００８１】
＜４．補足＞
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８２】
また、現金処理装置１００に内蔵されるＣＰＵ、ＲＯＭおよびＲＡＭなどのハードウェアに、上述した現金処理装置１００の各構成と同等の機能を発揮させるためのコンピュータプログラムも作成可能である。また、該コンピュータプログラムを記憶させた記憶媒体も提供される。
【符号の説明】
【００８３】
１００  現金処理装置
１０１  紙幣投入口
１０３  紙幣一時保留部
１１０  紙幣収納部
１２５  出金ホッパ
１２９  硬貨出金箱
１３３  操作表示部
１３７  レシートプリンタ部
１５０  制御部
１６０  記憶部
【図１】
2020042703.tif 000003
【図２】
2020042703.tif 000004
【図３】
2020042703.tif 000005
【図４】
2020042703.tif 000006